【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
第１の画面における位置に対する第１のビューデプスインジケータを推定するステップ、及び、第２の画面における対応する位置に対する第２のビューデプスインジケータを推定するステップを含む方法であって、
前記第１のビューデプスインジケータを推定する前記ステップ及び前記第２のビューデプスインジケータを推定する前記ステップが、前記第１のビューデプスインジケータと前記第２のビューデプスインジケータとの関係を対応する位置に提供する制約に基づいている、前記方法。
【請求項２】
前記制約は、１つまたは複数のカメラパラメータに基づいている、請求項１に記載の方法。
【請求項３】
前記１つまたは複数のカメラパラメータは、第１のビューカメラの位置、第２のビューカメラの位置、第３のビューカメラの位置、前記第１のビューカメラの主点オフセット、前記第２のビューカメラの主点オフセット又は第３のビューカメラの主点オフセットのうち少なくとも一つを含む、請求項２に記載の方法。
【請求項４】
前記第１のビューデプスインジケータは前記第１の画面からのビデオと前記第３の画面からのビデオに基づいており、前記第２のビューデプスインジケータは前記第２の画面からのビデオと前記第３の画面からのビデオとに基づいている、請求項１に記載の方法。
【請求項５】
前記第１のビューデプスインジケータ及び前記第2のビューデプスインジケータを推定する前記ステップは、
前記第１のビューデプスインジケータに対する予備値を決定するステップ、
前記第２のビューデプスインジケータに対する予備値を決定するステップ、及び、
前記第１のビューデプスインジケータに対する前記予備値及び前記第２のビューデプスインジケータに対する前記予備値が、前記制約を満たす所定の閾値の範囲内にある場合、前記第１のビューデプスインジケータ及び前記第２のビューデプスインジケータのうちの少なくとも１つを、前記制約に基づいて更新するステップ
を含む、請求項１に記載の方法。
【請求項６】
前記第１のビューデプスインジケータに対する前記予備値を決定する前記ステップは、
前記第１の画面に対する前記ビデオと前記第３の画面に対する前記ビデオに関して複数のブロックベースの比較を実行するステップ、
前記ブロックベースの比較を生じさせる前記第１のビューデプスインジケータに対する歪み最小化値を、前記複数のブロックベースの比較のうち最低の歪みを有する比較から決定するステップ、及び、
前記第１のビューデプスインジケータに対する前記予備値を、当該決定された歪み最小化値に設定するステップ
を含み、
前記複数のブロックベースの比較を実行する前記ステップにおいて、各ブロックベースの比較は、前記第１のビューデプスインジケータに対する相違値に基づいており、歪みを生じさせる、請求項５に記載の方法。
【請求項７】
前記更新するステップは、前記第１のビューデプスインジケータを、前記第１のビューデプスインジケータに対する前記予備値の絶対値及び前記第２のビューデプスインジケータに対する前記予備値の絶対値との平均に基づいた更新された値に設定するステップを含む、請求項５に記載の方法。
【請求項８】
前記第１のビューデプスインジケータと前記第２のビューデプスインジケータとを比較するステップ、及び、該比較に基づいて、前記第１のビューデプスインジケータ及び前記第２のビューデプスインジケータの双方に対して、信頼度の測定値を割り当てるステップをさらに含み、
前記信頼度の測定値は、前記第１及び第２のビューデプスインジケータが類似であるときは高く、非類似であるときは低い、請求項１に記載の方法。
【請求項９】
前記第１のビューデプスインジケータ及び前記第2のビューデプスインジケータを推定する前記ステップは、
前記デプスインジケータが、前記制約によって提供された前記関係とは、デプスインジケータ閾値よりも大である値だけ異なる値を有することを判定するステップ、
前記第１のビューデプスインジケータに対する第１のビュー歪みを決定するステップ、
前記第２のビューデプスインジケータに対する第２のビュー歪みを決定するステップ、
前記第１の画面の歪みが前記第２の画面の歪みよりも歪み閾値だけ大である場合、前記第１の画面における前記位置をホールとして示すステップ、及び、
前記第２の画面の歪みが前記第１の画面の歪みよりも前記歪み閾値だけ大である場合、前記第２の画面における前記対応する位置をホールとして示すステップを含む、請求項１に記載の方法。
【請求項１０】
前記マークを付された位置に隣接する位置に対して、前記マークを付された位置に隣接する位置のうち最大デプスを示すデプスインジケータを使用して、前記ホールを埋めるステップをさらに含む請求項９に記載の方法。
【請求項１１】
前記第１のビューデプスインジケータ及び前記第2のビューデプスインジケータを推定する前記ステップは、前記第１のビューデプスインジケータに対する予備値を決定するステップ、及び、前記第１のビューデプスインジケータに対する前記予備値及び前記制約に基づいて、前記第２のビューデプスインジケータに対する予備値を決定するステップを含む、請求項１に記載の方法。
【請求項１２】
前記第１のビューデプスインジケータに対する前記予備値及び前記第２のビューデプスインジケータに対する前記予備値の統合歪みを判定するステップ、及び、前記統合歪みに基づいて、前記第１のビューデプスインジケータに対する前記予備値を前記推定された第１のビューデプスインジケータとして選択するべきか、及び、前記第２のビューデプスインジケータに対する前記予備値を前記推定された第２のビューデプスインジケータとして選択するべきかを判定するステップをさらに含む、請求項１１に記載の方法。
【請求項１３】
前記統合歪みを判定するステップは、前記第１のビューデプスインジケータに対する前記予備値の歪みと、前記第２のビューデプスインジケータに対する前記予備値の歪みを合計するステップを含む、請求項１２に記載の方法。
【請求項１４】
前記統合歪みを判定するステップは、前記第１のビューデプスインジケータに対する前記予備値の歪みと、前記第２のビューデプスインジケータに対する前記予備値の歪みとの加重和を計算するステップを含み、
前記加重和は、第１のビューカメラ、第２のビューカメラ及び第３のビューカメラを含むグループ内のカメラの間の少なくとも１つの距離に基づいている、請求項１２に記載の方法。
【請求項１５】
ビデオエンコーダ又はビデオデコーダのうち少なくとも１つにおいて実装される、請求項１に記載の方法。
【請求項１６】
前記第１のビューデプスインジケータは、前記第１の画面における前記位置のデプス値又は前記第１の画面における前記位置と別の画面における対応位置との間のディスパリティのディスパリティ値のうち１つまたは複数を含む、請求項１に記載の方法。
【請求項１７】
前記第１のビューデプスインジケータ及び前記第２のビューデプスインジケータのうち１つまたは複数に基づいて、追加画面をレンダリングするステップをさらに含む請求項１に記載の方法。
【請求項１８】
前記第１の画面における前記位置は、前記第１の画面におけるピクセル、前記第１の画面におけるパーティション、前記第１の画面におけるサブマクロブロック、前記第１の画面におけるマクロブロック、前記第１の画面におけるスライス又は前記第１の画面におけるフィールドのうちの１つである、請求項１に記載の方法。
【請求項１９】
第１の画面における位置に対する第１のビューデプスインジケータを推定する手段、及び、第２の画面における対応する位置に対する第２のビューデプスインジケータを推定する手段を備えた装置であって、
前記第１のビューデプスインジケータ及び前記第２のビューデプスインジケータの推定が、前記第１のビューデプスインジケータと前記第２のビューデプスインジケータとの関係を対応する位置に提供する制約に基づいている、装置。
【請求項２０】
命令を記憶している非一時的プロセッサ可読記憶媒体であって、
該命令がプロセッサに、第１の画面における位置に対する第１のビューデプスインジケータを推定すること、及び、第２の画面における対応する位置に対する第２のビューデプスインジケータを推定することを少なくとも実行させ、
前記第１のビューデプスインジケータを前記推定すること及び前記第２のビューデプスインジケータを前記推定することが、前記第１のビューデプスインジケータと前記第２のビューデプスインジケータとの関係を対応する位置に提供する制約に基づいている、前記プロセッサ可読記憶媒体。
【請求項２１】
第１の画面における位置に対する第１のビューデプスインジケータを推定すること及び第２の画面における対応する位置に対する第２のビューデプスインジケータを推定することを少なくとも実行するように構成されたプロセッサを備えた装置であって、
前記第１のビューデプスインジケータを前記推定すること及び前記第２のビューデプスインジケータを前記推定することが、前記第１のビューデプスインジケータと前記第２のビューデプスインジケータとの関係を対応する位置に提供する制約に基づいている、前記装置。
【請求項２２】
第１の画面における位置に対する第１のビューデプスインジケータを推定するデプス推定器、及び、第２の画面における対応する位置に対する第２のビューデプスインジケータを推定するデプス推定器を備えた装置であって、
前記第１のビューデプスインジケータの前記推定及び前記第２のビューデプスインジケータの前記推定が、前記第１のビューデプスインジケータと前記第２のビューデプスインジケータとの関係を対応する位置に提供する制約に基づいている、前記装置。
【請求項２３】
第１の画面における位置に対する第１のビューデプスインジケータを推定するデプス推定器及び第２の画面における対応する位置に対する第２のビューデプスインジケータを推定するデプス推定器であって、前記第１のビューデプスインジケータの前記推定及び前記第２のビューデプスインジケータの前記推定が、前記第１のビューデプスインジケータと前記第２のビューデプスインジケータとの関係を対応する位置に提供する制約に基づいている、デプス推定器、及び、
前記第１のビューデプスインジケータ及び前記第２のビューデプスインジケータのうち１つまたは複数のエンコーディングを含む信号を変調する変調器
を備えた装置。
【請求項２４】
第１の画面からのビデオと第２の画面からのビデオを含む信号を復調する復調器、及び、前記第１の画面における位置に対する第１のビューデプスインジケータを推定するデプス推定器及び前記第２の画面における対応する位置に対する第２のビューデプスインジケータを推定するデプス推定器を備えた装置であって、
前記第１のビューデプスインジケータの前記推定及び前記第２のビューデプスインジケータの前記推定が、前記第１のビューデプスインジケータと前記第２のビューデプスインジケータとの関係を対応する位置に提供する制約に基づいている、前記装置。
【請求項２５】
カメラの位置に基づいて、１つまたは複数の制約を用いて、所定のピクセル位置の一対のデプスを推定するステップを含む方法であって、
第１の画面における前記所定のピクセル位置のデプスが前記第１の画面からのビデオ及び第３の画面からのビデオを使用して推定され、及び、第２の画面における前記所定のピクセル位置のデプスが前記第２の画面からのビデオ及び前記第３の画面からの前記ビデオを用いて推定される、前記方法。